(57)【要約】【目的】ブックモードでの読み取りにおいて、操作が簡単であり、原稿ぶれが起こりにくく読み込み時間も短い原稿読取装置を提供する。【構成】原稿台３に原稿２０が載置されると、読み取り手段８は所定の読み取り位置に移動し、同位置で原稿を複数回読み取る。制御手段は取得した複数の画像データが一致するか否かを判断し、一致したと判断した場合には原稿が静止したものとして読み取り手段に原稿の読み取りを自動開始させる。【選択図】図１
2008306368.tif 000002
【特許請求の範囲】
【請求項１】
原稿が載置される原稿台と、
前記原稿台に載置された原稿を読み取って画像データを出力する読み取り手段と、
前記原稿台に原稿が載置された場合に前記読み取り手段を原稿読み取り位置に移動させ、該原稿読み取り位置において原稿を複数回読み取って複数の画像データを取得し、前記複数の画像データが一致するか否かを判断し、一致したと判断した場合に前記原稿が静止したものとして前記読み取り手段に前記原稿の読み取りを開始させる自動読み取り制御を行う制御手段と、
を有することを特徴とする原稿読取装置。
【請求項２】
前記自動読み取り制御が行われる自動読み取り開始モードを選択又は非選択に設定する自動読み取り開始モード設定手段を有することを特徴とする請求項１記載の原稿読取装置。
【請求項３】
前記自動読み取り制御において、前記原稿読み取り位置における原稿の読み取り回数と読み取り時間間隔を設定する画像データ取得条件設定手段を有することを特徴とする請求項１記載の原稿読取装置。
【請求項４】
前記自動読み取り制御において、前記複数の画像データが一致したと判断する際の基準となる一致精度のレベルを設定する一致精度設定手段を有することを特徴とする請求項１記載の原稿読取装置。
【請求項５】
前記自動読み取り制御において、前記読み取り手段の前記原稿読み取り位置を設定する原稿読み取り位置設定手段を有することを特徴とする請求項１記載の原稿読み取り装置。
【発明の詳細な説明】
【技術分野】
【０００１】
本発明は、ファクシミリ、複写機に設けられる原稿読取手段又は単体の原稿読取手段として用いられるブックモードの原稿読取装置に係り、特に読み取り動作が自動的に開始される原稿読取装置に関するものである。
【背景技術】
【０００２】
従来、ブックモードで原稿を読み込む時は、原稿である本を原稿台にセットしてから読み込み開始のスイッチを押していた。すなわち、本の希望するページを開き、読み込もうとする当該ページが原稿台の読み取り面に接するように本を原稿台上に載置し、読み込もうとするページと読み取り面における読み取り領域との位置関係を確認しながら本を原稿台に押し付け、読み取り開始のスイッチを押さなければならない。このような一連の動作はかなり煩雑なものであり、ページ数の大きな本をブックモードで読み込むことは操作者にとって相当大きな負担を強いることになる。
【０００３】
このような課題を解決するものとして、原稿の読み取りを自動的に開始するための種々の方法・装置が提案されている。下記特許文献１は、圧板の開閉を検出する圧板開閉検出手段の信号を利用し、圧板が閉鎖された場合に読み込みを自動スタートする画像複写装置を開示するものである。その他、読み取り開始のスイッチを読み取り手段の近くに配置して操作者の便宜を図った装置も知られており、さらに本のページ捲り機構と読み込み手段からなる大掛かりなブックモード読み取り装置も知られている。
【特許文献１】特開平１１−３４４９０７号公報
【発明の開示】
【発明が解決しようとする課題】
【０００４】
しかしながら、圧板に圧板開閉検出手段等を設けて圧板が閉じられた場合に原稿の読み込みを開始する方式では、原稿を原稿台上にセットした状態と、原稿を上から圧板で押さえた状態とでは、原稿のセット状態が変わり、原稿の位置ずれや紙折れなどの不具合を生じる場合がある。また、このような方式は厚い本には向かない等の欠点もある。
【０００５】
また、ページ捲り機構を有する読み取り装置は、コスト的に割高であり、コピー印刷を専業とする業界の利用に留まっているのが現状である。
【０００６】
そこで本発明は、ブックモードでの読み取り操作において、原稿台上の本を押さえながら読み込みを開始させるという作業負担の大きい煩雑な操作を不要とし、また原稿のぶれが起こりにくいために確実な読み取りが可能であり、さらに読み込み時間も短縮される原稿読取装置を提供することを目的としている。
【課題を解決するための手段】
【０００７】
請求項１に記載された原稿読取装置は、
原稿が載置される原稿台と、
前記原稿台に載置された原稿を読み取って画像データを出力する読み取り手段と、
前記原稿台に原稿が載置された場合に前記読み取り手段を原稿読み取り位置に移動させ、該原稿読み取り位置において原稿を複数回読み取って複数の画像データを取得し、前記複数の画像データが一致するか否かを判断し、一致したと判断した場合に前記原稿が静止したものとして前記読み取り手段に前記原稿の読み取りを開始させる自動読み取り制御を行う制御手段と、
を有することを特徴としている。
【０００８】
請求項２に記載された原稿読取装置は、請求項１記載の原稿読取装置において、
前記自動読み取り制御が行われる自動読み取り開始モードを選択又は非選択に設定する自動読み取り開始モード設定手段を有することを特徴としている。
【０００９】
請求項３に記載された原稿読取装置は、請求項１記載の原稿読取装置において、
前記自動読み取り制御において、前記原稿読み取り位置における原稿の読み取り回数と読み取り時間間隔を設定する画像データ取得条件設定手段を有することを特徴としている。
【００１０】
請求項４に記載された原稿読取装置は、請求項１記載の原稿読取装置において、
前記自動読み取り制御において、前記複数の画像データが一致したと判断する際の基準となる一致精度のレベルを設定する一致精度設定手段を有することを特徴としている。
【００１１】
請求項５に記載された原稿読取装置は、請求項１記載の原稿読取装置において、
前記自動読み取り制御において、前記読み取り手段の前記原稿読み取り位置を設定する原稿読み取り位置設定手段を有することを特徴としている。
【発明の効果】
【００１２】
請求項１に記載された原稿読取装置によれば、原稿台に原稿を載置すると、読み取り手段が原稿読み取り位置に移動し、該原稿読み取り位置で読み取り手段が原稿を複数回読み取って複数の画像データを取得し、これら画像データが一致したと判断した場合には原稿が静止したものと判断し、読み取り手段による原稿の読み取りを自動的に開始することができる。従って、ブックモードでの読み取り操作において、原稿台上の本を押さえながら読み込みを開始させるという作業負担の大きい煩雑な操作が不要であるために使いやすく、また原稿のぶれが起こりにくいために確実な読み取りが可能であり、さらに読み込み時間も短縮される。
【００１３】
請求項２に記載された原稿読取装置によれば、ユーザーにおける必要性等に応じて、自動読み取り開始モードを選択又は非選択に設定することができる。
【００１４】
請求項３に記載された原稿読取装置によれば、自動読み取り制御において、原稿読み取り位置における原稿の読み取り回数と読み取り時間間隔を任意に設定することができるので、読み取りを開始するまでの最短時間を任意に設定することができる。
【００１５】
請求項４に記載された原稿読取装置によれば、自動読み取り制御において、取得した複数の画像データが一致したか否かの判断を行う基準となる一致精度のレベルを任意に設定することができるので、読み込み開始エラー（読み込みを開始しない又は原稿が静止する前に読み込みを開始してしまう等のエラー）を低減させるように調整することができる。
【００１６】
請求項５に記載された原稿読取装置によれば、自動読み取り制御において、読み取り手段の原稿読み取り位置を任意に設定することができる。
【発明を実施するための最良の形態】
【００１７】
本発明の実施形態を図１〜図４を参照して説明する。図１は本例の原稿読取装置の読取機構乃至光学系等の内部構造を模式的に表した正面側から見た断面図、図２は本例の原稿読取装置の平面図、図３は本例の原稿読取装置における読み取り手段と制御手段の関係を示す機能ブロック図であり、図４は本例の原稿読取装置における制御手段の機能乃至本例の原稿読取装置の作用を示す流れ図である。
【００１８】
本発明の一実施形態は、画像形成装置としての印刷装置における原稿台タイプの原稿読取装置である。但し、ここでは図示及び説明の便宜上、用紙の搬送系機構、印刷系、画像処理その他の制御を行う制御手段については図１及び図２においては図示せず、図１及び図２には原稿読取装置における読取機構を中心として図示する。但し制御手段については、後述するように、その原稿読み取りの機能を中心とした機能ブロックを図３に示す他、その制御手順を図４に示す。
【００１９】
図１及び図２に示すように、この原稿読取装置１は、本体となる筐体２と、筐体２の上面の一部に形成された矩形の開口に取り付けられたガラス製の原稿台３と、筐体２の上面側において原稿台３を覆って開閉自在に設けられた圧板４を有している（図１のみに示し、図２においては図示を省略した）。さらに、筐体２の内部には、原稿台３の下方に設けられた走査光学系５と、原稿台３から外れた側方の所定位置に設置された集光レンズ６と、集光レンズからの光を検出するイメージセンサ７からなる読み取り手段８を有している。
【００２０】
走査光学系５は、両側に光源が設けられた単一の反射鏡（光源は図１には不図示）を有する第１反射部９と、２枚の反射鏡からなる第２反射部１０とを有している。両反射鏡は、走査方向（図１及び図２において矢印で示す左右方向）に対して長手方向が直交する細長い矩形のミラーであり、光源もこれに沿う長体形状であり、光源で照らした原稿の画像を集光レンズ６に導くように構成されている。
【００２１】
両反射部９，１０は走査方向に沿って移動可能とされているが、第２反射部１０は、第１反射部９が同走査方向に沿って移動する距離の半分の距離を移動するように構成されており、固定された前記集光レンズ６までの光路長が一定となるように各反射部９，１０の移動量が設定されている。
【００２２】
なお、本例は縮小光学系であるが、密着型装置でも同じ効果が得られることは言うまでもない。又、図示のように原稿が本２０であれば、希望ページを開けて原稿台３にセット（静止させるため、通常は手で押さえつける）すればよく、本例によれば改めて圧板４等により押さえつける必要はない。
【００２３】
図２は、本２０を原稿台３の左上隅に位置決めした状態を示しており、走査光学系５のうち、第２反射部１０は省略し、第１反射部９のみを図示しているが、ここで、図中、読み取り手段８の走査光学系５の第１反射部９は、読み取り開始前はＡで示すホームポジションに位置しており、原稿のセットが完了したか否かを確認する際にはＢで示す原稿読み取り位置に移動して読み取りを行う。
【００２４】
次に図３を参照し、制御手段３０の構成を説明する。読み取り手段８のイメージセンサ７により読み込まれた画像データは一般的な信号補正（シェーディング補正等）が施され、画像処理装置３１に入力され、通常の画像処理（色変換、ガンマー補正、濃度補正、ＭＴＦ補正などのフィルタリング、拡大／縮小、二値化処理等）が行われる。その後、処理データは記憶装置３２に保存され、印刷の指示を受けた場合には図示しない印刷系に出力される。
【００２５】
本例の制御手段３０は、読み取った画像データを画像処理装置３１で画像処理して記憶装置３２に保存し、印刷系に出力して印刷を行わせる他、次のような特徴を有している。すなわち、制御手段３０は、ブック原稿が原稿台３上にセットされた場合に、所定の原稿読み取り位置において読み取り手段８に原稿を複数回読み取らせて複数の画像データを取得し、これらを記憶装置３２に記憶させた上で、これら複数の画像データが一致するか否かを比較装置３３において比較する。そして、一致したと判断した場合には、特段の読み取り開始の指示入力を必要とすることなく、前記原稿が静止状態になったものとして読み取り手段８に読み取り開始信号を出力して原稿の読み取りを自動開始させる。
【００２６】
次に図４を参照し、制御手段３０の制御による本原稿読取装置１の動作を、制御手順の各ステップにＳ１から始まる番号を付して説明する。
今、入力パネル等で自動スタートモードが設定されているとすると、ステップＳ１においてＹＥＳと判断される。次にステップＳ２において原稿台３上の原稿の有無が判断され、「有り」であればステップＳ３に移行し、読み取り手段８の走査光学系５を構成する第１反射部を原稿の読み取り位置に移動させる。読み取り位置は、図１における位置Ａでもよいし、位置Ｂでもよく、予め任意に設定しておくことができる。なお、この読み取り位置には原稿に印字があることが望まれるが、原稿の用紙のエッジのみの検出でも以下に説明する制御・動作は可能である。
【００２７】
ステップＳ４〜Ｓ６において、同じ原稿読み取り位置において、１ライン分の画像データをタイマに設定された所定時間を置いて複数回数（Ｎ回）だけ読み取り、各回の画像データを制御手段３０の記憶装置３２に保存する。ここで、１ライン分のデータとは、例えば４００ｄｐｉの解像度であるとした場合、読み取り手段８の第１反射部９によって読み取られる本の縦の長さが２０ｃｍであれば、３２００個のデジタルデータによって構成されることになる。
【００２８】
ステップＳ７において、ステップＳ４〜Ｓ６で取得し保存した同一位置における複数（Ｎ個）の読み取り画像データを制御手段３０の比較装置３３に読み出して画素毎に比較する。今、原稿が原稿台３に置かれた直後であるとすると、時間差をおいて取得・保存された複数の画像データ間には若干の位置ズレがあるので、これらの画像データが一致することはない。たとえ、読み取り部分が空白であっても、用紙のエッジ部分の比較があるので、用紙の微妙なずれを検出して一致・不一致を判断することが可能である。なお、読み取り部分が空白であり、用紙のエッジ部分で比較を行う場合には、画像データにおけるエッジ部分の明度を強調する画像補正を行うことにより、エッジ付近におけるデジタルデータの不安定さに起因して判断の誤りが起こることを防止し、正しく一致・不一致を判断できるようにすることができる。
【００２９】
ステップＳ９の判断において一致が得られない時（ＮＯ）は、ステップＳ４〜Ｓ６によって保存した１ライン分の複数の画像データは削除され（ステップＳ８）、その後、再度、所定原稿読み取り位置での複数回の読み取りと比較が行われる（ステップＳ４〜Ｓ７）。
【００３０】
原稿を押さえる等によって本２０が動かなくなり、原稿位置が定まると、読み込んだ複数の（ライン状の）画像データは互いに一致するため、ステップＳ９における判断で「一致」とされ、ステップＳ１０において読み取りが開始される。すなわち、従来では、原稿を片手で押さえながら、もう一方の手で読み取り開始のスイッチを押したり、又は圧板などをセットしなければならなかったが、本例では、原稿を原稿台３上に固定することに注力すれば、原稿の位置が固定された時点で自動的に読込みが開始されるので操作者の負担を大幅に減らすことができる。
【００３１】
ステップ１１、１２を経て次のページが開かれ、原稿台３に本が置かれると、再度ステップＳ４〜Ｓ１２の動作が繰り返される。
【００３２】
以上説明したような作用が得られる自動スタートモードが設定されていない場合には、ステップＳ１においてＮＯと判断され、次にステップＳ１３において手動モードが設定される。ここで、ステップＳ１４において手動スタートスイッチがＯＮとされたか否かが判断され、押された場合（ＹＥＳ）には、ステップＳ１５において読み取りが開始される。そして、ステップ１６を経て読み取りが終了する。
【００３３】
以上説明したように、本例によれば、原稿（本）を読み込む際、希望するページを開いて原稿台３にセットするだけで、同一位置で複数回原稿を読み取り、これら時間を違えて同一位置で取得した複数の画像データに変化が無いことを検出することにより、原稿台３に置かれた原稿が静止したことを検出できるため、原稿の完全静止を検知して読み込みを自動開始することができる。又、本例の制御手段３０は、上記のような自動読み込みを行うかどうかを設定する自動読み込み開始モードのＯＮ／ＯＦＦ切り替え機能を有しているので、ブック原稿の時は自動読み込み開始モードを使用するが、一枚ものの用紙原稿の場合は手動モードにする等、必要に応じて機能を切り替えることができる。
【００３４】
これによって、本の見開きページを原稿台３にセットし終わると、従来製品の様に読み込みスタートスイッチの操作、圧板のセットなど余分な操作をする必要も無く、直ちに読み込みが開始されるため、操作者の作業負担が著しく軽減される。又、操作者は、ブック原稿を原稿台３に静止させることに注力できるため、原稿のぶれを起こす頻度も少なくなり、確実な読み込みが可能となる。更に、余分な操作が無いことと、セット時間が速くなることから、特にブック原稿を対象とした場合に全体的な読み込み時間が大幅に改善できる。
【００３５】
なお、本例の制御手段３０において、同一位置で原稿を読み取る際の時間間隔を、制御手段３０が有するタイマに任意に設定することができるようにすれば（図４のステップＳ５に機能を示す）、読み取り開始の最短時間を設定して所定の時間が経過した後でなければ読み取りが開始されないようにすることができる。
【００３６】
さらに、本例の制御手段３０において、原稿の静止を検出するための場所（前述した読み取り位置ＡやＢ）を所望の位置に設定できるようにすれば、ブック原稿において文字の印刷がない両端部や中央部を避けて原稿読み取り位置を設定することができる。
【００３７】
さらに、本例の制御手段３０において、取得した複数の画像データが一致したと判断する一致精度のレベルを任意に設定し、検出精度レベルを可変できるように構成すれば、読み込み開始エラー（読み込みを開始しないとか、静止前に読み込みを開始してしまうといったエラー）を低減させることができる。例えば、２つの画像データを比較して完全一致した場合のみＯＫとすることもできるが、この一致基準を緩和して一部のドットが違っていてもＯＫとすることもでき、一連のドット中いくつ一致すればＯＫとするかを任意に定めておくことができる。また、３回以上取得した画像データを比較する場合、多数決で決定しても良く、１０回中６回以上一致すればＯＫと判断するものとしてもよい。
【００３８】
なお、以上説明した一実施形態である原稿読取装置１は、印刷装置の原稿読取手段であったが、本発明の原稿読取装置１は、原稿の読取機能のみを有する単機能の原稿読取装置１としても使用可能であることは言うまでもない。
【図面の簡単な説明】
【００３９】
【図１】図１は本例の原稿読取装置の読取機構乃至光学系等の内部構造を模式的に表した正面図である。
【図２】図２は本例の原稿読取装置の平面図である。
【図３】図３は本例の原稿読取装置における読み取り手段と制御手段の関係を示す機能ブロック図である。
【図４】図４は本例の原稿読取装置における制御手段の機能乃至本例の原稿読取装置の作用を示す流れ図である。
【符号の説明】
【００４０】
１…原稿読取装置
３…原稿台
５…走査光学系
８…読み取り手段
９…第１反射部
１０…第２反射部
２０…原稿としての本
３０…制御手段
３２…記憶装置
３３…比較装置
【図１】
2008306368.tif 000003
【図２】
2008306368.tif 000004
【図３】
2008306368.tif 000005
【図４】
2008306368.tif 000006